(57)【要約】【課題】毛髪がヘアキャッチャー部材に絡み難く、汚れ難い排水口部材を提供する。【解決手段】排水口部材は、排水口３に取り付けられ、複数の開口が形成された側面部１１、及びこの側面部１１の下端縁に連続して複数の開口が形成された底面部１３を有しており、毛髪を捕集するヘアキャッチャー部材１０と、このヘアキャッチャー部材１０よりも下方で排水口３に取り付けられ、ヘアキャッチャー部材１０の側面部１１に接触せずに隙間を有して配置される側壁部３１、及びこの側壁部３１の下端縁に連続し、ヘアキャッチャー部材１０の底面部１３に接触せずに隙間を有して配置され、水抜き孔３５が形成された底壁部３３を有しており、ヘアキャッチャー部材１０の上下中間部より下方を覆い上方から流入した排水が滞留するカップ部材３０とを備えている。【選択図】図１
2017043890.tif 000002
【特許請求の範囲】
【請求項１】
排水口に取り付けられ、複数の開口が形成された側面部、及びこの側面部の下端縁に連続して複数の開口が形成された底面部を有しており、毛髪を捕集するヘアキャッチャー部材と、
このヘアキャッチャー部材よりも下方で前記排水口に取り付けられ、前記ヘアキャッチャー部材の前記側面部に接触せずに隙間を有して配置される側壁部、及びこの側壁部の下端縁に連続し、前記ヘアキャッチャー部材の底面部に接触せずに隙間を有して配置され、水抜き孔が形成された底壁部を有しており、前記ヘアキャッチャー部材の上下中間部より下方を覆い上方から流入した排水が滞留するカップ部材と、
を備えていることを特徴とする排水口部材。
【請求項２】
前記ヘアキャッチャー部材及び前記カップ部材は前記排水口に着脱自在であることを特徴とする請求項１記載の排水口部材。
【請求項３】
前記カップ部材は前記底壁部の上面が前記水抜き孔に向けて下り傾斜していることを特徴とする請求項１又は２記載の排水口部材。
【発明の詳細な説明】
【技術分野】
【０００１】
本発明は排水口部材に関するものである。
【背景技術】
【０００２】
特許文献１は従来の排水口部材を開示している。この排水口部材はヘアキャッチャー部材とカップ部材とを備えている。ヘアキャッチャー部材は、複数の開口が形成された側面部と、この側面部の下端縁に連続して複数の開口が形成された底面部を有している。このヘアキャッチャー部材は、排水口に取り付けられており、毛髪を捕集することができる。カップ部材は、側壁部と、側壁部の下端縁に連続した底壁部を有している。底壁部は中央に水抜き孔が形成されている。このカップ部材は、側壁部の上端縁がヘアキャッチャー部材の側面部の下端縁に当接し、ヘアキャッチャー部材よりも下方で排水口に取り付けられている。
【０００３】
この排水口部材は、カップ部材によって、排水口内に一時的に排水を滞留させることができる。排水が排水口内に滞留し、水位がヘアキャッチャー部材の下部よりも上昇することによって、ヘアキャッチャー部材に捕集された毛髪が撹拌される。これによって、ヘアキャッチャー部材に捕集された毛髪と毛髪に絡んだ皮脂汚れを含んだ石鹸かすとを分離しつつ、毛髪がまとまる。このため、この排水口部材は、毛髪がヘアキャッチャー部材に絡まずに、毛髪を容易に除去することができる。
【先行技術文献】
【特許文献】
【０００４】
【特許文献１】特開２００７−２０５１６４号公報
【発明の概要】
【発明が解決しようとする課題】
【０００５】
しかし、特許文献１の排水口部材は、カップ部材の上端縁がヘアキャッチャー部材の側面部の下端縁に当接しているため、この当接している部分に皮脂汚れを含んだ石鹸かす等が溜まり、汚れてしまう。また、この排水口部材は、ヘアキャッチャー部材に捕集された毛髪が底面部に溜まると、毛髪が抵抗になって、カップ部材に排水が流入し難くなる。このため、この排水口部材は、カップ部材の水位がヘアキャッチャー部材の下部よりも上昇せず、毛髪を撹拌してまとめることができないおそれがある。
【０００６】
本発明は、上記従来の実情に鑑みてなされたものであって、毛髪がヘアキャッチャー部材に絡み難く、汚れ難い排水口部材を提供することを解決すべき課題としている。
【課題を解決するための手段】
【０００７】
本発明の排水口部材は、排水口に取り付けられ、複数の開口が形成された側面部、及びこの側面部の下端縁に連続して複数の開口が形成された底面部を有しており、毛髪を捕集するヘアキャッチャー部材と、
このヘアキャッチャー部材よりも下方で前記排水口に取り付けられ、前記ヘアキャッチャー部材の前記側面部に接触せずに隙間を有して配置される側壁部、及びこの側壁部の下端縁に連続し、前記ヘアキャッチャー部材の底面部に接触せずに隙間を有して配置され、水抜き孔が形成された底壁部を有しており、前記ヘアキャッチャー部材の上下中間部より下方を覆い上方から流入した排水が滞留するカップ部材と、
を備えていることを特徴とする。
【０００８】
この排水口部材はヘアキャッチャー部材とカップ部材とが接触せずに隙間を有している。このため、この排水口部材は、排水が流入すると、ヘアキャッチャー部材とカップ部材との間の隙間に排水が流れるため、皮脂汚れを含んだ石鹸かす等がヘアキャッチャー部材とカップ部材との間に溜まり難く、汚れが蓄積し難い。また、ヘアキャッチャー部材の側面部と、カップ部材の側壁部とは接触せずに隙間を有し、カップ部材がヘアキャッチャーの上下中間部より下方を覆っているため、ヘアキャッチャー部材の底面部に毛髪が捕集されている状態でも、ヘアキャッチャー部材の側面部を通過した排水がカップ部材の上端縁から流入することができる。このため、この排水口部材は、排水口に排水が流入するとカップ部材内の水位を確実に上昇させることができ、ヘアキャッチャー部材に捕集された毛髪を浮き上がらせることができる。これによって、この排水口部材は毛髪がヘアキャッチャー部材に絡み難くすることができる。ここで、ヘアキャッチャー部材の上下中間部とは、ヘアキャッチャー部材の側面部の上端縁と底面部の下端縁との間の中央部に限らず、任意の部分をいう。このため、カップ部材はヘアキャッチャー部材の下部側の一部を少なくとも覆うものであればよい。
【０００９】
したがって、本発明の排水口部材は、毛髪がヘアキャッチャーに絡み難く、汚れ難い。
【図面の簡単な説明】
【００１０】
【図１】実施例１の排水口部材が排水口に取り付けられた状態を示す断面図である。
【図２】実施例１の排水口部材を示す分解斜視図である。
【発明を実施するための形態】
【００１１】
本発明における好ましい実施の形態を説明する。
【００１２】
本発明の排水口部材において、前記ヘアキャッチャー部材及び前記カップ部材は前記排水口に着脱自在であり得る。この場合、ヘアキャッチャー部材及びカップ部材を取り外して、ヘアキャッチャー部材に捕集された毛髪を捨てたり、排水口の下流側の配管を高圧洗浄水によって掃除したりすることができる。
【００１３】
本発明の排水口部材において、前記カップ部材は前記底壁部の上面が前記水抜き孔に向けて下り傾斜し得る。この場合、この排水口部材はカップ部材内の排水を水抜き孔から良好に排水することができる。
【００１４】
次に、本発明の排水口部材を具体化した実施例１について、図面を参照しつつ説明する。
【００１５】
＜実施例１＞
実施例１の排水口部材は、図１及び図２に示すように、ヘアキャッチャー部材１０と、カップ部材３０とを備えている。この排水口部材は、図１に示すように、浴室の洗い場床Ｆに設けられた排水枡１に形成された排水口３に取り付けられている。排水枡１は、上端開口１Ａが着脱自在な蓋部材５によって閉じられている。洗い場床Ｆを流れた排水は、蓋部材５の周囲から排水枡１内に流入する。
【００１６】
排水口３は、排水枡１の下端開口１Ｂと、排水トラップ部材７の上端開口７Ａとを連結する連結部材５０によって形成されている。連結部材５０は、円筒状の筒部５１と、筒部５１の一端から外側に伸びる円環状のフランジ部５３とを有している。この連結部材５０は、フランジ部５３が排水枡１の下端開口１Ｂの周縁部の上面に係止し、筒部５１が排水枡１の下端開口１Ｂを挿通して下方に伸びて突出している。また、この連結部材５０は、排水枡１の下端開口１Ｂから下方に突出した筒部５１が排水トラップ部材７の上端開口７Ａに挿入され、排水トラップ部材７を連結している。
【００１７】
連結部材５０の筒部５１は、図２に示すように、内周面に設けられた４個の被係止部５５、及び４個の支持部５７を有している。４個の被係止部５５は、ヘアキャッチャー部材１０を排水口３に取り付けた際に上方に外れないように、後述するヘアキャッチャー部材１０の係止部１９が係止する。これら被係止部５５は、筒部５１の内周面の上端近傍であり、周方向に等間隔に設けられている。ここで、連結部材５０（筒部５１）の上下は、連結部材５０の筒部５１を排水枡１の下端開口１Ｂに挿通した状態における上下である（以下、同じ）。また、これら被係止部５５は横長四角形状の凸部である。４個の支持部５７は、カップ部材３０を排水口３に取り付けた際に落下しないように、後述するカップ部材３０の側壁部３１に先端面５７Ａを当接させてカップ部材３０を支持する。これら支持部５７は筒部５１の内周面に周方向に等間隔に設けられている。また、これら支持部５７は、筒部５１の内周面から内側に伸びており、上方から見た平面視形状が略四角形状の平板である。また、これら支持部５７は、先端面５７Ａがカップ部材３０の側壁部３１に面接触するように、カップ部材３０の側壁部３１の傾斜角と略等しい角度で下方に向けて内側に傾斜している（図１参照）。
【００１８】
ヘアキャッチャー部材１０は、図１及び図２に示すように、側面部１１、底面部１３、及び把持部１５を有している。側面部１１は下方に向けて縮径する円筒形状である。ここで、ヘアキャッチャー部材１０の上下は、ヘアキャッチャー部材１０を排水口３に取り付けた状態における上下である（以下、同じ。）。側面部１１は、横長四角形状の複数の開口１１Ａが上下２段で周方向に並ぶように形成されている。また、側面部１１は上端縁が外側に向けて突出した円環状の鍔部１７を形成している。また、側面部１１は、図２に示すように、外周面の鍔部１７に連続して側面部１１の外側に突出した鍵状の係止部１９が形成されている。この係止部１９は、鍔部１７に平行に伸びた水平部１９Ａと、水平部１９Ａの一端から鍔部１７に向けて伸びて鍔部１７に連結した垂直部１９Ｂとから形成されている。この係止部１９は外表面が鍔部１７の外表面と面一に形成されている。係止部１９は側面部１１の反対側の外周面にも形成されている。
【００１９】
底面部１３は、図１及び図２に示すように、側面部１１の下端縁に連続し、上方から見た平面形状が円形状であり、中央部に向けて徐々に下降した傾斜面で形成されている。また、底面部１３は中央部を中心にした径寸法が異なる７個の円周上に横長四角形状の複数の開口１３Ａが並んで形成されている。
【００２０】
把持部１５は略四角形状の平板である。この把持部１５は、下端縁が側面部１１の上端縁の円周方向に沿って連結し、上方に伸びている。この把持部１５は側面部１１の上端縁の円周方向にそって僅かに湾曲している。
【００２１】
ヘアキャッチャー部材１０は、側面部１１の鍔部１７を連結部材５０の筒部５１の被係止部５５に載置した状態で、上方から見て時計回り方向に回転させると、鍔部１７と係止部１９の水平部１９Ａとの間に連結部材５０の筒部５１の被係止部５５が入り込み、係止部１９の垂直部１９Ｂの側面に当接する。すると、ヘアキャッチャー部材１０はそれ以上、時計回りに回転させることができなくなる。このようにして、ヘアキャッチャー部材１０の係止部１９と、連結部材５０の筒部５１の被係止部５５が係止した係止状態にすると、ヘアキャッチャー部材１０が排水口３から上方に外れない。また、ヘアキャッチャー部材１０は、上方から見て反時計回りに回転させると、係止部１９が連結部材５０の筒部５１の被係止部５５に係止した係止状態が解除され、排水口３から上方に取り外すことができる。このように、ヘアキャッチャー部材１０は排水口３に着脱自在である。
【００２２】
カップ部材３０は、図１及び図２に示すように、側壁部３１と底壁部３３とを有している。側壁部３１は下方に向けて縮径する円筒形状である。カップ部材３０の上下はカップ部材３０を排水口３に取り付けた状態における上下である（以下、同じ）。この側壁部３１はヘアキャッチャー部材１０の側面部１１とほぼ同じ傾斜角度を有している。また、この側壁部３１はヘアキャッチャー部材１０の側面部１１よりも上下方向の寸法が小さい。
【００２３】
底壁部３３は、側壁部３１の下端縁に連続し、上方から見た平面形状が円形状であり、中央部に向けて徐々に下降した傾斜面で形成されている。この底壁部３３はヘアキャッチャー部材１０の側面部１１とほぼ同じ傾斜角度を有している。また、この側壁部３１は中央部に円形状の水抜き孔３５が形成されている。つまり、底壁部３３は上面が水抜き孔３５に向けて下り傾斜している。
【００２４】
カップ部材３０は、ヘアキャッチャー部材１０が排水口３に取り付けられていない状態で、排水口３の上方から連結部材５０の筒部５１内に挿入する。すると、カップ部材３０の側壁部３１が連結部材５０の筒部５１の支持部５７の先端面５７Ａに当接し、カップ部材３０は支持部５７に支持される。このように、カップ部材３０は下方に落下せずに排水口３に取り付けることができる。また、カップ部材３０は、排水口３に取り付けられた状態で、側壁部３１の上端縁が連結部材５０の内周面に当接せず、連結部材５０の内周面との間に排水が流れることができる空間が形成されている。また、カップ部材３０は排水口３に着脱自在である。
【００２５】
ヘアキャッチャー部材１０及びカップ部材３０を排水口３に取り付けると、図１に示すように、ヘアキャッチャー部材１０の側面部１１とカップ部材３０の側壁部３１、及びヘアキャッチャー部材１０の底面部１３とカップ部材３０の底壁部３３は接触せずに隙間を有して配置される。この隙間はヘアキャッチャー部材１０の肉厚やカップ部材３０の肉厚よりも狭い僅かな間隔である。また、カップ部材３０の側壁部３１の上端縁は、ヘアキャッチャー部材１０の側面部１１の高さ方向の中央部の近傍に位置している。つまり、カップ部材３０はヘアキャッチャー部材１０の上下中間部よりも下方を覆っている。
【００２６】
このように構成された排水口部材が取り付けられた排水口３に洗い場床Ｆを流れた排水が排水枡１を介して流入すると、排水と共に流入した毛髪は、ヘアキャッチャー部材１０に捕集され、カップ部材３０に排水が滞留する。この際、この排水口部材は、ヘアキャッチャー部材１０とカップ部材３０との間の隙間に排水が流れるため、皮脂汚れを含んだ石鹸かす等がヘアキャッチャー部材１０とカップ部材３０との間に溜まり難く、汚れが蓄積し難い。
【００２７】
また、ヘアキャッチャー部材１０の側面部１１と、カップ部材３０の側壁部３１とは接触せずに隙間を有し、カップ部材３０がヘアキャッチャーの上下中間部より下方を覆っているため、ヘアキャッチャー部材１０の底面部１３に毛髪が捕集されている状態でも、ヘアキャッチャー部材１０の側面部１１を通過した排水がカップ部材３０の上端縁から流入することができる。このため、この排水口部材は、排水口３に排水が流入するとカップ部材３０内の水位を確実に上昇させることができ、ヘアキャッチャー部材１０に捕集された毛髪を浮き上がらせることができる。これによって、この排水口部材は毛髪がヘアキャッチャー部材１０に絡み難くすることができる。
【００２８】
したがって、実施例１の排水口部材は、毛髪がヘアキャッチャーに絡み難く、汚れ難い。
【００２９】
また、この排水口部材は、ヘアキャッチャー部材１０とカップ部材３０との間の隙間が僅かな間隔であるため、シャワー浴等の際の僅かな排水量であっても、カップ部材３０内の水位がヘアキャッチャー部材１０の底面部１３よりも高い位置まで上昇する。このように、この排水口部材は、流入する排水量が少なくても、ヘアキャッチャー部材１０に捕集された毛髪を浮き上がらせることができ、毛髪がヘアキャッチャー部材１０に絡み難くすることができる。
【００３０】
また、この排水口部材はカップ部材３０の（側壁部３１の）上端縁が連結部材５０（排水口３）の内周面に当接していない。このため、カップ部材３０の外周側を排水が流れることができるため、排水枡１に流入する排水量が多い場合でも、排水枡１から洗い場床Ｆ側へ排水が溢れることを防止することができる
【００３１】
また、この排水口部材は、ヘアキャッチャー部材１０及びカップ部材３０が排水口３に着脱自在であるため、ヘアキャッチャー部材１０及びカップ部材３０を取り外して、ヘアキャッチャー部材１０に捕集された毛髪を捨てたり、排水口３の下流側の配管を高圧洗浄水によって掃除したりすることができる。
【００３２】
また、この排水口部材は、カップ部材３０の底壁部３３の上面が水抜き孔３５に向けて下り傾斜しているため、カップ部材３０内の排水を水抜き孔３５から良好に排水することができる。
【００３３】
本発明は上記記述及び図面によって説明した実施例１に限定されるものではなく、例えば次のような実施例も本発明の技術的範囲に含まれる。
（１）実施例１では、排水口部材を浴室の洗い場床に設けられた排水枡１に形成された排水口に取り付けたが、浴室の洗い場床に限らず、他の場所に設けられた排水口に排水口部材を取り付けることができる。
（２）ヘアキャッチャー部材及びカップ部材は、実施例１の形状に限らず、他の形状、例えば鉛直断面形状が円弧状であってもよい。
（３）実施例１では、排水トラップ部材が洗い場床からの排水のみが流入するものであったが、浴槽の排水が合流するものであってもよい。
（４）実施例１では、連結部材で形成された排水口に排水口部材を取り付けていたが、排水口を連結部材で形成する場合に限らず、排水枡に一体に形成された排水口等に排水口部材と取り付けてもよい。
（５）実施例１では、カップ部材が排水口に着脱自在であったが、カップ部材を排水口に一体に形成してもよい。
（６）実施例１では、カップ部材の側壁部の上端縁をヘアキャッチャー部材の側面部の高さ方向の中央部の近傍に位置させたが、ヘアキャッチャー部材の側面部の上端縁と底面部の下端縁との間であればよい。望ましくは、カップ部材内の水位を上昇させてヘアキャッチャー部材に捕集された毛髪を浮き上がらせるために、ヘアキャッチャー部材の側面部の上端縁と下端縁との間であるとよい。
【符号の説明】
【００３４】
３…排水口
１０…ヘアキャッチャー部材
１１…側面部
１３…底面部
１１Ａ，１３Ａ…開口
３０…カップ部材
３１…側壁部
３３…底壁部
３５…水抜き孔
【図１】
2017043890.tif 000003
【図２】
2017043890.tif 000004